(57)【特許請求の範囲】
【請求項１】
遊技デバイスを制御する遊技制御装置と、該遊技制御装置に電力を供給する電源装置と、を備えた遊技台であって、
前記電源装置は、
内部に電源基板を収納可能なケース体と、
前記遊技制御装置に電力を供給するか否かを切り替える電源スイッチと、
前記電源スイッチを覆う保護カバーと、
を少なくとも備え、
前記保護カバーは、
前記電源スイッチを操作可能な開状態と、前記電源スイッチを操作不可能な閉状態に、上下方向に移動することで切り替わるスライドカバーを少なくとも含んで構成され、
前記保護カバーは、
前記ケース体に設けられた軸部と係合して、前記電源スイッチを操作可能な開状態と、前記電源スイッチを操作不可能な閉状態に回転移動する、
ことを特徴とする遊技台。
【請求項２】
請求項１に記載の遊技台であって、
前記スライドカバーは、透光性部材で構成されている、
ことを特徴とする遊技台。
【請求項３】
請求項１または２に記載の遊技台であって、
前記スライドカバーに、突起部を設けた、
ことを特徴とする記載の遊技台。
【請求項４】
請求項１乃至請求項３のいずれか一項に記載の遊技台であって、
前記ケース体に、外部出力用コネクタ端子を備え、
前記保護カバーに、前記保護カバーが閉状態となった場合、前記外部出力用コネクタ端子に接続された配線を、前記保護カバー外へ導出する開口部を設けた、
ことを特徴とする遊技台。
【請求項５】
請求項１乃至請求項４いずれか一項に記載の遊技台であって、
前記ケース体に、前記保護カバーを収容可能な段差部を形成し、
前記保護カバーは、扇形長筒形状に形成され、長筒部の水平面における一辺の長さが、前記段差部の一辺の長さより短い長さで形成されている、
ことを特徴とする遊技台。
【発明の詳細な説明】
【技術分野】
【０００１】
本発明は、スロットマシン、パチンコ機等に代表される遊技台に関する。
【背景技術】
【０００２】
従来、遊技台の駆動装置や各制御基板に電力を供給する電源供給装置は、金属製の箱体の中に電源基板などを収納し、感電防止や外部からの不正行為を防止できるように構成されている。近年この電源装置に対する不正行為が増加してきており、例えば、遊技台の出玉率を調整する設定機能は、電源を遊技が行える通常状態から、電源を一度落として設定変更した後に、再び電源を立ち上げることで、新たな設定が有効となるような変更手順を踏む遊技台も存在する。よって、電源スイッチが容易に外部から干渉できないような保護カバーを設けた遊技台が提案されている（例えば特許文献１）。
【先行技術文献】
【特許文献】
【０００３】
【特許文献１】特開２００５−１３１２５６号公報
【発明の概要】
【発明が解決しようとする課題】
【０００４】
しかし上述のような遊技台でも、筐体本体と前面扉の隙間から不正な器具を差込み、保護カバーを外して電源スイッチを不正に動作させる問題が生じていた。
【０００５】
本発明は、以上のような問題に鑑み、不正に強い遊技台を提供することを目的とする。
【課題を解決するための手段】
【０００６】
上記目的を達成するため、本発明に係る遊技台は、遊技デバイスを制御する遊技制御装置と、該遊技制御装置に電力を供給する電源装置と、を備えた遊技台であって、前記電源装置は、内部に電源基板を収納可能なケース体と、前記遊技制御装置に電力を供給するか否かを切り替える電源スイッチと、前記電源スイッチを覆う保護カバーと、を少なくとも備え、前記保護カバーは、前記電源スイッチを操作可能な開状態と、前記電源スイッチを操作不可能な閉状態に、上下方向に移動することで切り替わるスライドカバーを少なくとも含んで構成され、前記保護カバーは、前記ケース体に設けられた軸部と係合して、前記電源スイッチを操作可能な開状態と、前記電源スイッチを操作不可能な閉状態に回転移動する、ことを特徴とする。
【発明の効果】
【０００７】
以上のように、本発明では、不正に強い遊技台を提供できる。
【図面の簡単な説明】
【０００８】
【図１】スロットマシンの外観を示す斜視図である。
【図２】スロットマシンの内観図である。
【図３】スロットマシンの制御ブロック図である。
【図４】電源装置の斜視図である。
【図５】（ａ）ケース体の斜視図である。（ｂ）ケース体の上面図である。（ｃ）ケース体の正面図である。（ｄ）はケース体の側面図である。
【図６】（ａ）保護ケースカバーの斜視図である。（ｂ）保護ケースカバーの正面図である。（ｃ）保護ケースカバーの側面図である。
【図７】（ａ）上下スライドカバーの斜視図である。（ｂ）上下スライドカバーの上面図である。（ｃ）上下スライドカバーの正面図である。（ｄ）上下スライドカバーの側面図である。
【図８】（ａ）ケース体と保護ケースカバーの組付け斜視図である。（ｂ）ケース体と保護ケースカバーの組付け上面図である。（ｃ）ケース体と保護ケースカバーの組付け正面図である。（ｄ）ケース体と保護ケースカバーの組付け側面図である。
【図９】（ａ）保護カバーケースの９０度開状態とした斜視図である。（ｂ）保護カバーケースの１２０度開状態とした斜視図である。
【図１０】（ａ）電源装置の正面図である。（ｂ）電源装置のＡ−Ａ断面図である。
【図１１】（ａ）電源装置の上面図である。（ｂ）電源装置のＢ−Ｂ断面図である。
【図１２】（ａ）上下スライドカバーの操作態様を示す図である（閉鎖時）。（ｂ）上下スライドカバーの操作態様を示す図である（開放時）。
【発明を実施するための形態】
【０００９】
以下、本発明の好適な実施の形態について添付図面を用いて詳細に説明する。
【００１０】
図１は、本発明の実施形態に係るスロットマシン１００の斜視図である。
【００１１】
図１に示すスロットマシン１００は、本体１０１と、本体１０１の正面に取付けられ、本体１０１に対して開閉可能な前面扉１０２と、を備える。本体１０１の中央内部には、外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１２】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１３】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１４】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを有効な入賞ラインとして有効として設定してもよく、ベット数に関係なく、一律に同一数の入賞ラインを有効な入賞ラインとして設定してもよい。
【００１５】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１６】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１７】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（１４Ｇ）表示器とした。
【００１８】
スタートレバー１３５は、リール１１０乃至１１２の回転を開始させるためのレバー型のスイッチである。即ち、メダル投入口１３４に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００１９】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００２０】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２１】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２２】
音孔１４３はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（図示省略、演出画像表示装置）を備えており、右シャッタ１６３ａ、左シャッタ１６３ｂが液晶表示装置１５７の手前で水平方向外側に開くと液晶表示装置１５７（図示省略）の表示画面がスロットマシン１００正面（遊技者側）に出現する構造となっている。なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２３】
図２は、前面扉を開けた状態のスロットマシン１００を示す正面図である。筐体１０１は、上面板２６１、左側の側面板２６０、右側の側面板２６０、下面板２６４および背面板２４２で囲われ、前面に開口する箱体である。筐体１０１の内部には、背面板２４２の上部に設けた通風口２４９と重ならない位置に、内部に主制御基板を収納した主制御部基板ケース２２０が配置され、この主制御部基板ケース２２０の下方に、３つのリール１１０乃至１１２が配置されている。基板ケース２１０及びリール１１０乃至１１２の側方、即ち向って左側の側面板２６０には、本発明の特徴部分である内部に副制御基板を収納した基板ケース２１０が配設してある。また、向かって右側の側面板２６０には、主制御基板に接続されて、スロットマシン１００の情報を外部装置に出力する外部集中端子板２４８が取り付けられている。
【００２４】
そして、下面板２６４には、メダル払出装置１８０（バケットに溜まったメダルを払出す装置）が配設され、このメダル払出装置１８０の横、リール１１０乃至１１２の下方には、電源基板を有する電源装置２５２が配設されている。電源装置２５２は、スロットマシン１００に外部から供給される交流電源を直流化し、所定の電圧に変換して主制御部３００、第１副制御部４００等の各制御部、各装置に供給する。さらには、外部からの電源が断たれた後も所定の部品（例えば主制御部３００のＲＡＭ３０８等）に所定の期間（例えば１０日間）電源を供給するための蓄電回路（例えばコンデンサ）を備えている。
【００２５】
メダル払出装置１８０の右側には、メダル補助収納庫２４０が配設してあり、この背後にはオーバーフロー端子が配設されている（図示省略）。また出玉率を設定する設定キースイッチ２４４は、電源が入った状態で設定キーを差し込んで左に回すとリセット操作、電源を落とした状態で右に回し、その状態から立ち上げると設定モードに移行し、設定キーを抜くと、通常状態となる。
【００２６】
前面扉１０２は、筐体１０１の左側の側面板２６０にヒンジ装置２７６を介して蝶着され、図柄表示窓１１３の上部には、演出装置１６０、および、この演出装置１６０を制御する演出制御基板（図示省略）、上部スピーカ２７２、を設けている。図柄表示窓１１３の下部には、投入されたメダルを選別するためのメダルセレクタ１７０、このメダルセレクタ１７０が不正なメダル等をメダル受皿１６１に落下させる際にメダルが通過する通路２６６等を設けている。さらに、音孔１４３に対応する位置には低音スピーカ２７７を設けている。また図柄表示窓の下方には、各種演出装置への配線を中継する中継端子板２７９が設けられている。また、前面扉１０２の左端には、縦長形状の施錠装置２８０が設けられている。
【００２７】
次に図３を用いて、スロットマシン１００の制御部の制御部の回路構成について詳細に説明する。なお、同図は制御部の回路ブロック図を示したものである。
【００２８】
スロットマシン１００の制御部は、大別すると、遊技の進行を制御する主制御部３００と、主制御部３００が送信するコマンド信号（以下、単に「コマンド」と呼ぶ）に応じて、主な演出の制御を行う第１副制御部４００と、第１副制御部４００より送信されたコマンドに基づいて各種機器を制御する第２副制御部５００と、によって構成されている。
【００２９】
まず、スロットマシン１００の主制御部３００について説明する。
【００３０】
主制御部３００は、主制御部３００の全体を制御する基本回路３０２を備えており、この基本回路３０２には、ＣＰＵ３０４と、制御プログラムデータ、入賞役の内部抽選時に用いる抽選データ、リールの停止位置等を記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２を搭載している。なお、ＲＯＭ３０６やＲＡＭ３０８については他の記憶装置を用いてもよく、この点は後述する第１副制御部４００についても同様である。この基本回路３０２のＣＰＵ３０４は、水晶発振器３１４が出力する所定周期のクロック信号をシステムクロックとして入力して動作する。さらには、ＣＰＵ３０４は、電源が投入されるとＲＯＭ３０６の所定エリアに格納された分周用のデータをカウンタタイマ３１２に送信し、カウンタタイマ３１２は受信した分周用のデータを基に割り込み時間を決定し、この割り込み時間ごとに割り込み要求をＣＰＵ３０４に送信する。ＣＰＵ３０４は、この割込み要求を契機に各センサ等の監視や駆動パルスの送信を実行する。例えば、水晶発振器３１４が出力するクロック信号を８ＭＨｚ、カウンタタイマ３１２の分周値を１／２５６、ＲＯＭ３０６の分周用のデータを４７に設定した場合、割り込みの基準時間は、２５６×４７÷８ＭＨｚ＝１．５０４ｍｓとなる。
【００３１】
基本回路３０２は、０〜６５５３５の範囲で数値を変動させるハードウェア乱数カウンタとして使用している乱数発生回路３１６と、電源が投入されると起動信号（リセット信号）を出力する起動信号出力回路３３８を設けており、ＣＰＵ３０４は、この起動信号出力回路３３８から起動信号を入力した場合に、遊技制御を開始する。
【００３２】
また、電圧を監視する電圧監視回路３３０と、ＷＤＴ３１３（ウォッチドッグタイマー）が設けられている。
【００３３】
また、基本回路３０２には、センサ回路３２０を設けており、ＣＰＵ３０４は、割り込み時間ごとに各種センサ３１８（ベットボタン１３０センサ、ベットボタン１３１センサ、ベットボタン１３２センサ、メダル投入口１４１から投入されたメダルのメダル受付センサ、スタートレバー１３５センサ、ストップボタン１３７センサ、ストップボタン１３８センサ、ストップボタン１３９センサ、精算ボタン１３４センサ、メダル払出装置１８０から払い出されるメダルのメダル払出センサ、リール１１０のインデックスセンサ、リール１１１のインデックスセンサ、リール１１２のインデックスセンサ、等）の状態を監視している。なお、上述したリセット検知用センサ２８４及び扉開放用検知センサ２８５もこのセンサ回路３２０で監視される。
【００３４】
なお、センサ回路３２０がスタートレバーセンサのＨレベルを検出した場合には、この検出を示す信号を乱数発生回路３１６に出力する。この信号を受信した乱数発生回路３１６は、そのタイミングにおける値をラッチし、抽選に使用する乱数値を格納するレジスタに記憶する。
【００３５】
メダル受付センサは、メダル投入口１４１の内部通路に２個設置されており、メダルの通過有無を検出する。スタートレバー１３５センサは、スタートレバー１３５内部に２個設置されており、遊技者によるスタート操作を検出する。ストップボタン１３７センサ、ストップボタン１３８センサ、および、ストップボタン１３９は、各々のストップボタン１３７乃至１３９に設置されており、遊技者によるストップボタンの操作を検出する。
【００３６】
ベットボタン１３０センサ、ベットボタン１３１センサ、および、ベットボタン１３２センサは、メダル投入ボタン１３０乃至１３２のそれぞれに設置されており、ＲＡＭ３０８に電子的に貯留されているメダルを遊技への投入メダルとして投入する場合の投入操作を検出する。精算ボタン１３４センサは、精算ボタン１３４に設けられている。精算ボタン１３４が一回押されると、電子的に貯留されているメダルを精算する。メダル払出センサは、メダル払出装置１８０が払い出すメダルを検出するためのセンサである。なお、以上の各センサは、非接触式のセンサであっても接点式のセンサであってもよい。
【００３７】
リール１１０のインデックスセンサ、リール１１１のインデックスセンサ、および、リール１１２のインデックスセンサは、各リール１１０乃至１１２の取付台の所定位置に設置されており、リールフレームに設けた遮光片が通過するたびにＬレベルになる。ＣＰＵ３０４は、この信号を検出すると、リールが１回転したものと判断し、リールの回転位置情報をゼロにリセットする。
【００３８】
主制御部３００は、リール１１０乃至１１２に設けたステッピングモータを駆動する駆動回路３２２を設けており、投入されたメダルを選別するメダルセレクタ１７０に設けたソレノイドを駆動する駆動回路３２４を設けており、メダル払出装置１８０に設けたモータを駆動する駆動回路３２６を設けており、各種ランプ３３９（入賞ライン表示ランプ１２０、告知ランプ１２３、遊技メダル投入可能ランプ１２４、再遊技ランプ１２２、遊技メダル投入ランプ１２９は、遊技開始ランプ１２１、貯留枚数表示器１２５、遊技情報表示器１２６、払出枚数表示器１２７）を駆動する駆動回路３２８を設けている。
【００３９】
また、基本回路３０２には、情報出力回路３３４（外部集中端子板２４８）を接続しており、主制御部３００は、この情報出力回路３３４を介して、外部のホールコンピュータ（図示省略）等が備える情報入力回路６５２にスロットマシン１００の遊技情報（例えば、遊技状態）を出力する。また、本実施形態では、エラーの解除方法を示す情報や、誤った解除動作があった場合は、その旨の情報をも出力する。
【００４０】
また、主制御部３００は、第１副制御部４００にコマンドを送信するための出力インタフェースを備えており、第１副制御部４００との通信を可能としている。なお、主制御部３００と第１副制御部４００との情報通信は一方向の通信であり、主制御部３００は第１副制御部４００にコマンド等の信号を送信できるように構成しているが、第１副制御部４００からは主制御部３００にコマンド等の信号を送信できないように構成している。
【００４１】
次に、スロットマシン１００の第１副制御部４００について説明する。
【００４２】
第１副制御部４００は、主制御部３００が送信した制御コマンドを入力インタフェース（後述するコネクタ端子）を介して受信し、この制御コマンドに基づいて第１副制御部４００の全体を制御する基本回路４０２を備えており、この基本回路４０２は、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。基本回路４０２のＣＰＵ４０４は、水晶発振器４１４が出力する所定周期のクロック信号をシステムクロックとして入力して動作し、第１副制御部４００の全体を制御するための制御プログラム及びデータ、バックライトの点灯パターンや各種表示器を制御するためのデータ等が記憶されたＲＯＭ４０６が設けている。
【００４３】
ＣＰＵ４０４は、所定のタイミングでデータバスを介してＲＯＭ４０６の所定エリアに格納された分周用のデータをカウンタタイマ４１２に送信する。カウンタタイマ４１２は、受信した分周用のデータを基に割り込み時間を決定し、この割り込み時間ごとに割り込み要求をＣＰＵ４０４に送信する。ＣＰＵ４０４は、この割込み要求のタイミングをもとに、各ＩＣや各回路を制御する。
【００４４】
また、第１副制御部４００には、音源ＩＣ４１８を設けており、音源ＩＣ４１８に出力インタフェースを介してスピーカ２７２、２７７を設けている。音源ＩＣ４１８は、ＣＰＵ４０４からの命令に応じてアンプおよびスピーカ２７２、２７７から出力する音声の制御を行う。音源ＩＣ４１８には音声データが記憶されたＳ−ＲＯＭ（サウンドＲＯＭ）が接続されており、このＲＯＭから取得した音声データをアンプで増幅させてスピーカ２７２、２７７から出力する。
【００４５】
また、第１副制御部４００には、駆動回路４２２が設けられ、駆動回路４２２に入出力インタフェースを介して各種ランプ４２０（上部ランプ、下部ランプ、サイドランプ１４４、タイトルパネル１６２ランプ、等）を設けている。また主制御部３００から送信されてきたエラー解除パターンの送信コマンドに基づく解除パターン表示ＬＥＤ２９０への解除パターン表示も、駆動回路４２２にて行なわれる。
【００４６】
また、ＣＰＵ４０４は、出力インタフェースを介して第２副制御部５００へ信号の送受信を行う。スロットマシン１００の第２副制御部５００では、演出画像表示用液晶表示装置１５７や各種演出用駆動装置１６５の制御を行う。第２副制御部５００は、例えば、液晶表示装置１５７の制御を行う制御部、各種演出用駆動装置１６５の制御を行う制御部とするなど、複数の制御部で構成するようにしてもよい。第２副制御部は、液晶表示装置１５７の表示制御を行ったり、演出用の駆動装置１６５を制御したりする。
【００４７】
次に、図４を用いて、本実施形態における電源装置２５２の説明を行う。図４は、電源装置２５２の斜視図である。
【００４８】
本実施形態の電源装置２５２は、内部に電源基板（図示せず）を収納可能に構成された金属性のケース体７００と、スロットマシン１００の各制御装置や駆動装置に供給される電力をオンオフする電源スイッチ７０１とを備えている。電源スイッチ７０１は、外部から直接触れることが出来ないように、保護ケースカバー７１０で覆われている。また保護ケースカバー７１０の電源スイッチ７０１に対応する位置には、透明樹脂で形成され、上下方向にスライドして開閉するスライドカバー７１１が設けられている。詳細は後述する。
【００４９】
次に、図５を用いて、ケース体７００の説明をする。
【００５０】
図５（ａ）に示すように、ケース体７００は、手前側部が段差状に形成されており、この段差の左側面部に電源スイッチ７０１と、電力出力手段としてのコネクタ７０２が２箇所設けられている。そしてこの段差に保護ケースカバー７１０を回転可能に取り付けるための上下一対の軸受穴部７０３が設けられている。また、上部には、電源基板から放出される熱を外部に排出する放熱口７０４が設けられている。
【００５１】
次に、図６を用いて保護ケースカバー７１０の説明をする。
【００５２】
図６（ａ）に示すように、保護ケースカバー７１０は、１／４円弧の扇形長筒形状の本体部に、保護ケースカバー７１０が開放状態と閉鎖状態とに回転移動可能なように、上下に突出した軸部７１３を設けている。また中央下部には、電源スイッチ７０１が保護ケースカバー７１０と干渉しないように設けられた電源スイッチ用開口部７１４と、後述する上下スライドカバーを装着するための上下スライドカバー開口部７１５が設けられている。また上述したコネクタ７０２に接続されたハーネス（配線）が、保護ケースカバー７１０が開状態となった場合でも干渉しないように、保護ケースカバー７１０外に導くための上部ハーネス開口部７１９と、下部ハーネス開口部７２０が設けられている。
【００５３】
次に、図７を用いて上下スライドカバーの説明をする。
【００５４】
上下スライドカバー７１１は、透明アクリルなどの透過性部材で半円弧状に形成され、上下スライドカバー７１１裏面には、保護ケースカバー７１０と係合し、上下スライドカバー７１１が上述した上下スライドカバー開口部７１５にて上下に移動可能な摺動端７１６（図１１の摺動溝７３０と接する）、上下スライドカバー７１１を上方向に開く際に、人の指などを押し当てる際に引っ掛かりとなる開放用突起部７１７が設けられている。
【００５５】
次に図８を用いて、ケース体７００と保護ケースカバー７１０の組み付け態様の説明をする。
【００５６】
図８（ａ）に示すように、保護ケースカバー７１０の直角部分と、ケース体７００の段差部の直角部分は互いに合わさるように組みつけられ、上下スライドカバー７１１が斜め正面側を向いた位置となるように配置される。また図８（ｂ）、図８（ｃ）、図８（ｄ）に示すように、ケース体７００に設けられた軸受穴部７０３に、保護ケースカバー７１０に設けられた軸部７１３が回転可能に軸着される。そして図９（ａ）、図９（ｂ）に示すように、軸部７１３を中心に保護ケースカバー７１０を回転させると、電源スイッチ７０１やコネクタ７０２を操作することが可能となり、電源のオンオフやハーネスの接続などが行える。なお、保護ケースカバー７１０には閉鎖状態となる方向に付勢するばね７１８が設けられており、保護ケースカバー７１０を操作しない状態では、ばね７１８の付勢力によって、保護ケースカバー７１０は閉鎖状態となる。
【００５７】
次に、図１０及び図１１を用いて、電源スイッチ７０１と上下スライドカバー７１１の位置関係の説明をする。
【００５８】
図１０（ｂ）は、図１０（ａ）におけるＡ―Ａ断面図を表したものである。図１０（ｂ）に示すように、上下スライドカバー７１１は、閉状態となった場合、電源スイッチ７０１と同程度の高さに位置する。本実施形態では、上下スライドカバー７１１を透光性の樹脂で構成しているので、閉状態であっても、上下スライドカバー７１１を介して保護ケースカバー７１０内の電源スイッチ７０１を目視できる。また、図１１（ａ）のＢ−Ｂ断面図である図１１（ｂ）に示すように、電源スイッチ７０１が上下スライドカバー７１１と一部重なるような位置にあるので、上下カバーケース７１１を介して電源スイッチ７０１が目視できることが確認できる。
【００５９】
なお、設定キースイッチ２４４は図１０（ｂ）に示すように、電源装置２５２に設けてもよい。こうすることで、設定変更の際に、上下スライドカバー７１１を操作しつつ、電源スイッチ７０１と設定キースイッチ２４４を操作しなくてはならないため、さらに不正行為がし難くなる。
【００６０】
次に、図１２を用いて、上下スライドカバー７１１の操作方法を説明する。
【００６１】
図１２（ａ）に示すように、上下スライドカバー７１１に触れていない通常状態では、スライドカバー７１１の自重により閉位置まで下がった状態となっている。この状態から、開放用突起部７１７に指を当てて上方向にずらすと、開放用突起部７１７が引っかかりとなって、上下スライドカバー７１１も上方向に移動し、図１２（ｂ）に示すような開状態となり、電源スイッチ７０２の操作が可能となる。しかし、ここで開放用突起部７１７から指を離してしまうと、上下スライドカバー７１１は自重で落下して閉状態となってしまうので、例えば、左手で上下スライドカバー７１１を開状態としたうえで、右手で電源スイッチ７０１を操作するような作業が必要となる。ここで不正な方法で電源スイッチをオンにしようとする場合、一般的には筐体１０１と前面扉１０２の隙間などから、器具を挿入して電源スイッチ７０１を操作しようとするが、上下スライドカバー７１１が障害となって電源スイッチを操作することができない。万が一上下スライドカバー７１１を開状態としたとしても、その開状態を保持しながら電源スイッチ７０１の操作を行わなければならないので、不正操作が非常に困難となる。
【００６２】
以上のように、本発明の遊技台は、遊技デバイスを制御する遊技制御装置と、該遊技制御装置に電力を供給する電源装置と、を備えた遊技台であって、前記電源装置は、前記遊技制御装置に電力を供給するか否かを切り替える電源スイッチと、該電源スイッチを覆う保護カバーと、を備え、該保護カバーは、前記電源スイッチを操作可能な開状態と、前記電源スイッチを操作不可能な閉状態に、上下方向に移動することで切り替わるスライドカバーを含んで構成されることを特徴とした。
【００６３】
上述した実施形態では、電源スイッチの近傍に、上下方向にスライドする上下スライドカバー７１０を開閉自在に設けた。
【００６４】
よって、針金などの不正器具で電源スイッチ７０１を操作しようとしても、上下スライドカバー７１１が障害となり、不正行為が防止できる。また上下スライドカバー７１１を開けたとしても、自重で落下することから、１つの不正器具で上下スライドカバー７１１を開放しつつ、電源スイッチ７０１を操作することは非常に困難となる。
【００６５】
また、本発明の別の態様では、更に、前記スライドカバーは、透光性部材で構成されていることを特徴とした。
【００６６】
上述した実施形態では、上下スライドカバー７１１を形成する部材として透光性の樹脂を用いた。
【００６７】
よって、スライドカバーが閉状態であっても、保護ケースカバー７１０内部の電源スイッチの様子が確認できるので、利便性が高い。
【００６８】
また、本発明の別の態様では、更に、前記スライドカバーに、突起部を設けたことを特徴とした。
【００６９】
上述した実施形態では、上下スライドカバー７１１の下部に開放用突起部７１７を設けた。
【００７０】
よって、上下スライドカバーを開状態とする場合に、開放用突起部７１７に指を当てて上下動させれば、スムーズに上下スライドカバー７１１を上下させることができる。
【００７１】
また、本発明の別の態様では、更に、前記電源装置は、内部に電源基板を収納可能なケース体で構成されるとともに、前記保護カバーは、前記ケース体に設けられた軸部と係合して、前記電源スイッチを操作可能な開状態と、前記電源スイッチを操作不可能な閉状態に回転移動するように構成されたことを特徴とした。
【００７２】
上述した実施形態では、保護ケースカバー７１０の上面部と下面部に回転する際の軸心となる軸部７１３を、ケース体７００に軸受穴部７０３を設け、上下スライドカバー７１１だけではなく、保護ケースカバー７１０の開閉でも、電源スイッチ７０１を操作可能とした。
【００７３】
よって、必要な用途に応じて、電源スイッチの操作を容易に行うことができる。
【００７４】
また、本発明の別の態様では、更に、前記ケース体に、外部出力用コネクタ端子を備え、前記保護カバーに、前記保護カバーが閉状態となった場合、前記外部出力用コネクタ端子に接続された配線を、前記保護カバー外へ導出する開口部を設けたことを特徴とした。
【００７５】
上述した実施形態では、ケース体７００に電源装置２５２から外部へ電力を出力するコネクタ７０２を設け、更には、コネクタ７０２に接続されるハーネスを、保護ケースカバー７１１が閉状態であっても、外部に導出できる上部ハーネス開口部７１９と、下部ハーネス開口部７２０を設けた。
【００７６】
よって、コククタに対する不正防止も実現でき、また、ハーネスを接続した場合でもあっても閉作動に支障をきたすことなく、確実に不正を防止できる。
【００７７】
また、本発明の別の態様では、更に、前記ケース体に、前記保護カバーを収容可能な段差部を形成し、前記保護カバーは、前記段差部の辺の長さより短い辺の長さで平面部を形成した立体形状であることを特徴とした。
【００７８】
上述した実施形態では、ケース体７００に保護ケースカバー７１０が収まるような段差部を設けた。
【００７９】
よって、保護ケースカバー７１０がケース体７００から飛び出るようなことなく、ケース体７００の寸法内に収まるので、他の遊技デバイスに干渉することなく、機器の保全が容易である。
【００８０】
なお、本実施形態では、上下スライドカバー７１１を自重による落下としたが、保護ケースカバー７１０を付勢するばねのように、弾性体を用いて上下スライドカバー７１１を下方向に付勢するように構成してもよい。その場合、より強い力が下方向に働くので、開放操作が困難となり、より確実な不正防止が実現できる。またばねで付勢いするのであれば、スライドカバー７１１のスライド方向も上下ではなく左右方向であってもよい。
【００８１】
以上、本発明の実施例を説明したが、具体例を例示したに過ぎず、特に本発明を限定するものではない。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【産業上の利用可能性】
【００８２】
本発明は、スロットマシン、パチンコ機等に代表される遊技台にて使用される遊技台に適用することが可能である。
【符号の説明】
【００８３】
１００・・・スロットマシン
２５２・・・電源装置
７００・・・ケース体
７０１・・・電源スイッチ
７１０・・・保護ケースカバー
７１１・・・上下スライドカバー
【図１】
0005511742.tif 000002
【図２】
0005511742.tif 000003
【図３】
0005511742.tif 000004
【図４】
0005511742.tif 000005
【図５】
0005511742.tif 000006
【図６】
0005511742.tif 000007
【図７】
0005511742.tif 000008
【図８】
0005511742.tif 000009
【図９】
0005511742.tif 000010
【図１０】
0005511742.tif 000011
【図１１】
0005511742.tif 000012
【図１２】
0005511742.tif 000013